(57)【要約】【課題】本考案は、安定して上下方向に移動可能なフロート型電気コネクタを提供することを目的とする。【解決手段】本考案のフロート型電気コネクタは、突出柱が設けられる基部と、基部に取り付けられる本体部と、本体部に挿入される複数の弾力端子とを具備する。本体部は、端子溝と、前記端子溝を貫通する挿入溝と、上下表面を貫通する貫通溝とを具備する。弾力端子は、固持部と、固持部の前端に設けられる接触部と、固持部から湾曲される弾力ビームとを有する。前記本体部は、前記基部の突出柱が前記本体部の貫通溝と係合することによって、基部に対して上下方向に移動できる。【選択図】図１
0003157742.tif 000002
【実用新案登録請求の範囲】
【請求項１】
突出柱が設けられる基部と、
前記基部に取り付けられるとともに、複数の端子溝と、前記端子溝を貫通する挿入溝と、上下表面を貫通する貫通溝とを備える本体部と、
前記本体部の端子溝に挿入されるとともに、固持部と、前記固持部の前端に設けられる接触部と、前記固持部から湾曲される弾力ビームとを有する複数の弾力端子とを具備してなり、
前記本体部は、前記基部の突出柱が前記本体部の貫通溝と係合することによって、基部に対して上下方向に移動できることを特徴とするフロート型電気コネクタ。
【請求項２】
前記本体部の挿入溝には阻隔部が設けられ、前記挿入溝が前記阻隔部の阻隔によって、寸法が異なる第１挿入溝部と第２挿入溝部が形成されることを特徴とする請求項１に記載のフロート型電気コネクタ。
【請求項３】
前記本体部の貫通溝が実質的に前記基部の阻隔部に対応することを特徴とする請求項２に記載のフロート型電気コネクタ。
【請求項４】
前記第１挿入溝部がＬ字状に形成されるとともに、前記第１挿入溝部の直立部分が阻隔部に隣接し、かつ、
前記第２挿入溝部がＬ字状に形成されるとともに、前記第２挿入溝部の直立部分が阻隔部に隣接することを特徴とする請求項２に記載のフロート型電気コネクタ。
【請求項５】
前記本体部の貫通孔が閉じた矩形に形成されるとともに、四つの直立な内壁を具備し、かつ、前記基部の突出柱が、前記貫通孔の内壁と対応する四つの側面を具備することを特徴とする請求項１に記載のフロート型電気コネクタ。
【請求項６】
前記本体部の貫通孔が前記本体部の後辺まで開口してＴ字状に形成されるとともに、前記基部の突出柱が片状の連接部を具備し、かつ、突出柱と連接部とが本体部の貫通孔と係合することを特徴とする請求項１に記載のフロート型電気コネクタ。
【請求項７】
前記弾力端子の弾力ビームが逆Ｓ字状に形成されることを特徴とする請求項１に記載のフロート型電気コネクタ。
【請求項８】
前記基部が、前記弾力端子と対応する保持部と、前記保持部の底部から前向きに突出する底壁と、前記底壁の両側に設けられて前記本体部を制限する一対の側壁とを具備してなり、前記突出柱が前記底壁に設けられるとともに、前記底壁は、前記底壁を越えずに本体部を保持するための平板状に形成されることを特徴とする請求項１に記載のフロート型電気コネクタ。
【考案の詳細な説明】
【技術分野】
【０００１】
本考案は、電気コネクタに関し、特に、フロート型電気コネクタに関するものである。
【背景技術】
【０００２】
従来技術の電気コネクタは、基部と、基部に取り付けられる本体部と、複数の導電端子とを備える。前記本体部には、複数の端子溝と、前記端子溝を貫通する挿入溝とが形成される。各導電端子は、絶縁性本体の挿入溝に挿入される弾性の接触部と、弾性の接触部から後向きに延在して絶縁性本体に挿入される弾力ビームとを含む。絶縁性本体と連接部の両側には、一対のピンが設けられる。連接部は、導電端子の弾力ビームの支持によって、基部に対して上下方向に移動する。
【先行技術文献】
【特許文献】
【０００３】
【特許文献１】中国特許出願公開第１８６２８８５号明細書
【考案の概要】
【０００４】
本体部は、導電端子の弾力ビームだけに依頼して基部に対して上下方向に移動する。導電端子の弾力ビームの支持が不安定する。これにより、本体部は基部に対して、傾斜に揺れ動かす。
【考案が解決しようとする課題】
【０００５】
そこで本考案は、上述される従来技術の問題に鑑み、安定に上下方向に移動可能なフロート型電気コネクタを提供することを目的とする。
【課題を解決するための手段】
【０００６】
前記目的を達成するために、本考案のフロート型電気コネクタは、突出柱が設けられる基部と、基部に取り付けられる本体部と、本体部に挿入される複数の弾力端子とを具備する。本体部は、端子溝と、前記端子溝を貫通する挿入溝と、上下表面を貫通する貫通溝とを具備する。弾力端子は固持部と、固持部の前端に設けられる接触部と、固持部から湾曲される弾力ビームとを有する。前記本体部は、前記基部の突出柱が前記本体部の貫通溝と係合することによって、基部に対して上下方向に移動できる。
【考案の効果】
【０００７】
従来技術と比べると、本考案は以下の長所を有する。本考案の基部には突出柱が設けられる。前記本体部には突出柱と係合する貫通溝が形成される。本体部は、突出柱と貫通溝と係合することによって、基部に対して上下方向に安定して移動できる。
【図面の簡単な説明】
【０００８】
【図１】本考案の第１実施形態におけるフロート型電気コネクタの組立図である。
【図２】図１に示すフロート型電気コネクタの分解斜視図である。
【図３】図１に示すフロート型電気コネクタを別の角度から見た組立図である。
【図４】図３に示すフロート型電気コネクタの側視図である。
【図５】図２に示すフロート型電気コネクタの弾力端子の斜視図である。
【図６】本考案の第２実施形態におけるフロート型電気コネクタの組立図である。
【図７】図６に示すフロート型電気コネクタの分解斜視図である。
【考案を実施するための形態】
【０００９】
図１〜図５を参照すると、本考案のフロート型電気コネクタ１００は、基部１０と、基部１０に取り付けられる本体部２０と、本体部２０に挿入される複数の弾力端子３０と、本体部２０を遮蔽するハウジング４０とを備える。
【００１０】
前記基部１０は、当接壁１０３を有する保持部１０４と、保持部１０４の底部から前向きに延在する平板状の底壁１０５と、底壁１０５の両側に設けられる一対の側壁１０１と、底壁１０５から上向きに延在する突出柱１１９と、を備える。突出柱１１９は、四つの側面１１９０を含む。一対の保持部１０４には、一対のスロット１０７が形成される。
【００１１】
前記本体部２０は、前端面２０１と、前端面２０１から後向きに延在する複数の端子溝２１１と、端子溝２１１を貫通する挿入溝２１３と、挿入溝２１３に設けられる阻隔部２１５とを備える。挿入溝２１３は、阻隔部２１５によって、第１挿入溝部２１３１と、第２挿入溝部２１３２とが形成される。第１挿入溝部２１３１は、第２挿入溝部２１３２より大きい。第１挿入溝部２１３１がＬ字状に形成され、第１挿入溝部２１３１の直立部分が阻隔部２１５を隣接する。前記第２挿入溝部２１３２がＬ字状に形成され、第２挿入溝部２１３２の直立部分が阻隔部２１５を隣接する。本体部２０には、本体部２０の上下表面を貫通する貫通溝２１７が形成される。貫通溝２１７は、閉じた矩形に形成される。貫通溝２１７が四つの内壁２１７０を含む。貫通溝２１７が、阻隔部２１５と実質的に対応する。
【００１２】
前記各弾力端子３０は、固持部３０１と、固持部３０１の前端に設けられる接触部３０３と、固持部３０１の末端から湾曲される逆Ｓ字状の弾力ビーム３０５とを備える。
【００１３】
前記ハウジング４は、天壁４１と、天壁４１の両端から下向きに延在する一対の挿入壁４２とを含む。
【００１４】
図１〜図５に示すように、フロート型電気コネクタ１００を取り付ける時、先ず、複数の弾力端子３０が本体部２０に挿入される。弾力端子３０の接触部３０３が本体部２０の端子溝２１１に挿入され、挿入溝２１３に向かって突出する。次に、本体部２０が基部１０に取り付けられる。弾力端子３０が基部１０の保持部１０４に保持される。本体部２０が基部１０の一対の側壁１０１の間に制限される。本体部２０は、基部１０の底壁１０５に保持されるとともに底壁１０５を超える。基部１０の突出柱１１９が本体部２０の貫通溝２１７を貫通する。突出柱１１９の側面１１９０が貫通溝２１７の内壁２１７０と対応する。最後、ハウジング４０が基部１０と本体部２０とを遮蔽する。ハウジング４の挿入壁４２が基部１０のスロット１０７に挿入される。前記本体部２０は、前記基部１０の突出柱１１９が前記本体部２０の貫通溝２１７と係合することによって、基部１０に対して上下方向に移動できる。
【００１５】
図６〜図７に示すように、第２実施形態に係るフロート型電気コネクタ１００’の本体部２０’の貫通溝２１７が本体部２０’の後辺まで開口してＴ字状に形成される。基部１０’の突出柱１１９’が後向きに延在する片状の連接部１１９１’を含む。基部１０’の突出柱１１９’と連接部１１９１’とは、本体部２０’の貫通溝２１７’と係合する。
【００１６】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００１７】
１００，１００’・・・フロート型電気コネクタ
１０，１０’・・・基部
１０１・・・側壁
１０３・・・当接壁
１０４・・・保持部
１０５・・・底壁
１０７・・・スロット
１１９，１１９’・・・突出柱
１１９０，１１９０’・・・側面
２０，２０’・・・本体部
２０１・・・前端面
２１１・・・端子溝
２１３・・・挿入溝
２１３１・・・第１挿入溝部
２１３２・・・第２挿入溝部
２１５・・・阻隔部
２１７，２１７’・・・貫通溝
２１７０、２１７０’・・・内壁
３０・・・弾力端子
３０１・・・固持部
３０３・・・接触部
３０５・・・弾力ビーム
４０・・・ハウジング
４１・・・天壁
４２・・・挿入壁
【図１】
0003157742.tif 000003
【図２】
0003157742.tif 000004
【図３】
0003157742.tif 000005
【図４】
0003157742.tif 000006
【図５】
0003157742.tif 000007
【図６】
0003157742.tif 000008
【図７】
0003157742.tif 000009
【手続補正書】
【提出日】平成21年12月24日(2009.12.24)
【手続補正１】
【補正対象書類名】実用新案登録請求の範囲
【補正対象項目名】全文
【補正方法】変更
【補正の内容】
【実用新案登録請求の範囲】
【請求項１】
突出柱が設けられる基部と、
前記基部に取り付けられるとともに、複数の端子溝と、前記端子溝を貫通する挿入溝と、上下表面を貫通する貫通溝とを備える本体部と、
前記本体部の端子溝に挿入されるとともに、固持部と、前記固持部の前端に設けられる接触部と、前記固持部から湾曲される弾力ビームとを有する複数の弾力端子とを具備してなり、
前記本体部は、前記基部の突出柱が前記本体部の貫通溝と係合することによって、基部に対して上下方向に移動できることを特徴とするフロート型電気コネクタ。
【請求項２】
前記本体部の挿入溝には阻隔部が設けられ、前記挿入溝が前記阻隔部の阻隔によって、寸法が異なる第１挿入溝部と第２挿入溝部が形成されることを特徴とする請求項１に記載のフロート型電気コネクタ。
【請求項３】
前記本体部の貫通溝が実質的に前記基部の阻隔部に対応することを特徴とする請求項２に記載のフロート型電気コネクタ。
【請求項４】
前記第１挿入溝部がＬ字状に形成されるとともに、前記第１挿入溝部の直立部分が阻隔部に隣接し、かつ、
前記第２挿入溝部がＬ字状に形成されるとともに、前記第２挿入溝部の直立部分が阻隔部に隣接することを特徴とする請求項２に記載のフロート型電気コネクタ。
【請求項５】
前記本体部の貫通溝が閉じた矩形に形成されるとともに、四つの直立な内壁を具備し、かつ、前記基部の突出柱が、前記貫通溝の内壁と対応する四つの側面を具備することを特徴とする請求項１に記載のフロート型電気コネクタ。
【請求項６】
前記本体部の貫通溝が前記本体部の後辺まで開口してＴ字状に形成されるとともに、前記基部の突出柱が片状の連接部を具備し、かつ、突出柱と連接部とが本体部の貫通溝と係合することを特徴とする請求項１に記載のフロート型電気コネクタ。
【請求項７】
前記弾力端子の弾力ビームが逆Ｓ字状に形成されることを特徴とする請求項１に記載のフロート型電気コネクタ。
【請求項８】
前記基部が、前記弾力端子と対応する保持部と、前記保持部の底部から前向きに突出する底壁と、前記底壁の両側に設けられて前記本体部を制限する一対の側壁とを具備してなり、前記突出柱が前記底壁に設けられるとともに、前記底壁は、前記底壁を越えずに本体部を保持するための平板状に形成されることを特徴とする請求項１に記載のフロート型電気コネクタ。